(57)【要約】【課題】  既設ドアを撤去した既設ドア枠に新設ドアを吊支持した改装ドアにおいて，気密材が室内側に露出するのを防止して可及的に高度な防火性を確保する。【解決手段】  新設ドア２の室内側見付面の外周端部に，見込面に食い込むように段部２４を配置し，この段部２４に溝形成部材３を固定して，溝開口を既設ドア枠１の室外側見付面に向けた気密材受溝２５を区画形成し，この気密材受溝２５に嵌合脚部４１を嵌合して断面Ｔ字状又はＬ字状の気密材４を装着して，その突出気密部４２先端の戸当面対接部４３を既設ドア枠１のドア戸当面１２に対接して，改装ドアＡとしての気密性を確保する。溝形成部材３は，その室外側の起立片３２を新設ドア２の見込面より低位として，見込面との間に段差３３を配置し，この段差３３を介して気密材４の突出気密部４２を室内側に突出する。【選択図】  図１
2009221757.tif 000002
【特許請求の範囲】
【請求項１】
既設ドアを撤去して残存した既設ドア枠に対して新設ドアを設置し該新設ドアに形成した気密材受溝に気密材を装着し該気密材を既設ドア枠における室内側見込面と室外側見込面の間のドア戸当面に対接することによって気密性を確保した改装ドアであって，上記気密材受溝を，新設ドアの見込面にその溝開口を既設ドア枠の室外側見込面に向けて囲繞状に形成するとともに上記気密材を，嵌合脚部と該嵌合脚部から既設ドア枠の室外側見込面に向けて突出し且つその室内側端部を戸当面対接部とした突出気密部とを備えて形成し，該気密材の嵌合脚部を溝開口に嵌合して該気密材を既設ドア枠の室外側見込面に対面するように新設ドアの気密材受溝に装着することによって新設ドアの見込面囲繞状に配置し，その室内側の上記戸当面対接部位を既設ドア枠のドア戸当面に対して対接して気密性を確保してなることを特徴とする改装ドア。
【請求項２】
上記新設ドアの気密材受溝を，見込面の室外側と室内側とで室内側を低位とするように段差を付して配置し，該段差を介して上記気密材の戸当面対接部位を既設ドア枠のドア戸当面に対接してなることを特徴とする請求項１に記載の改装ドア。
【請求項３】
上記新設ドアの気密材受溝を，見込面の室内側端部に，その見付面の外周を囲繞するように見込面切欠き状の段部を配置し，該段部の室内側端部を溝形成部材又は室内側ドア表面板によって該見込面より低位の段差を付して区画し，該段差を介して上記気密材の戸当面対接部位を既設ドア枠のドア戸当面に対接してなることを特徴とする請求項１に記載の改装ドア。
【請求項４】
既設ドアを撤去して残存した既設ドア枠に対して新設ドアを設置し該新設ドアの見込面にその溝開口を既設ドア枠の室外側見込面に向けて囲繞状に形成した気密材受溝に装着し，既設ドア枠における室内側見込面と室外側見込面の間のドア戸当面に対接することによって気密性を確保するように用いる気密材であって，上記溝開口に嵌合して既設ドア枠の室外側見込面に向けて新設ドアの気密材受溝に装着して新設ドア見込面囲繞状に配置する嵌合脚部と，該嵌合脚部から既設ドア枠の室外側見込面に向けて突出し且つその室内側端部を既設ドア枠のドア戸当面に対接する戸当面対接部位とした突出気密部とを備えてなることを特徴とする改装ドアの気密材。
【発明の詳細な説明】
【技術分野】
【０００１】
本発明は，公共住宅，マンション等玄関のドア改装に関し，特に既設ドアを撤去して残存した既設ドア枠に新設ドアを設置した改装ドア及びこれに用いる気密材に関する。
【背景技術】
【０００２】
この種改装ドアとして，既設ドアを撤去して残存した既設ドア枠に対して新設ドアを設置し該新設ドアに形成した気密材受溝に気密材を装着し該気密材を既設ドア枠における室内側見込面と室外側見込面の間のドア戸当面に対接することによって気密性を確保するようにした下記特許文献記載のものが知られており，これによれば，新設ドアの中骨の室内側見付面に気密材受溝を形成するとともに中骨を覆うボックス状の室外側ドア表面材と平板状の室内側ドア表面材間に上記気密材受溝を露出するように配置し，該気密材受溝に気密材の嵌合脚部を嵌合して該気密材を新設ドアの室内側見付面の外周に室内側に向けて囲繞状に設置し，該気密材の側方に延びるように配置した戸当面対接部を既設ドア枠のドア戸当面に対接することによって気密性を確保したものとされている。
【０００３】
【特許文献１】特開２００６−８３６９８号
【発明の開示】
【発明が解決しようとする課題】
【０００４】
この場合，既存ドアを撤去した既設ドア枠に可及的簡易に，例えば防音断熱ドアの如き新設ドアを納まりよく設置し得るとともに該新設ドアの設置によって自ずと気密性を確保し得るようにして現場作業を可及的に簡易化した既設ドア枠を利用したドア交換の改装ドアを提供することができる。
【０００５】
しかし乍ら，この場合，気密材受溝を新設ドアの室内側見付面に設置するものとされるから，気密材が室内側に露出するものとなり易く，これによって気密材が火炎を直接に受けたときに新設ドアの防火性能が低下する可能性が残されている。
【０００６】
即ち気密材は，例えば上記特許文献の図３に示すように新設ドアに見付面の縁部を残して凹陥した気密材受溝に嵌合脚部を嵌合し，該嵌合脚部から該見付面の縁部を覆うように縁部側に変位して突出した膨出部を備え，該膨出部先端片側の外周側を戸当面対接部位としてドア戸当面に断面Ｌ字状をなすように対接するものとされるため，膨出部先端片側の内周側が室内側に露出することになり，従って火災時に気密材が直接炎に曝されて気密材が溶解し，気密材位置が火炎通過の経路をなす結果となる可能性があり，従ってこの場合，必ずしも防火性に優れたものとなし得ないケースが生じる。
【０００７】
本発明はかかる事情に鑑みてなされたもので，その解決課題とするところは，上記既存ドアを撤去した既設ドア枠に新設ドアを設置し，既設ドア枠のドア戸当面に気密材を対接してその気密性を確保するとともに該気密材の露出を防止して可及的高度な防火性を確保した既設ドア枠を利用した改装ドアを提供するにあり，また該改装ドアに好適に使用し得る改装ドアの気密材を提供するにある。
【課題を解決するための手段】
【０００８】
上記課題に添って本発明は，新設ドアの見込面に気密材受溝を設置するとともに該気密材受溝に，既設ドア枠の室外側見込面に向けて，これと対面するように気密材を設置して，その室内側端部の戸当面対接部位を既設ドア枠のドア戸当面に対接することによって気密性を確保するとともに該気密材を，室内側から見て，既設ドア枠におけるドア戸当面の見付方向外側奥に位置して，その室内側への露出を防止するとともに室内側から実質的に遮断し，該気密材に火炎が直接に及ぶ可能性を可及的に防止して，改装ドアとしてその可及的高度な気密性と防火性の双方を並立的に確保し得るようにしたものであって，即ち請求項１に記載の発明を，既設ドアを撤去して残存した既設ドア枠に対して新設ドアを設置し該新設ドアに形成した気密材受溝に気密材を装着し該気密材を既設ドア枠における室内側見込面と室外側見込面の間のドア戸当面に対接することによって気密性を確保した改装ドアであって，上記気密材受溝を，新設ドアの見込面にその溝開口を既設ドア枠の室外側見込面に向けて囲繞状に形成するとともに上記気密材を，嵌合脚部と該嵌合脚部から既設ドア枠の室外側見込面に向けて突出し且つその室内側端部を戸当面対接部とした突出気密部とを備えて形成し，該気密材の嵌合脚部を溝開口に嵌合して該気密材を既設ドア枠の室外側見込面に対面するように新設ドアの気密材受溝に装着することによって新設ドアの見込面囲繞状に配置し，その室内側の上記戸当面対接部位を既設ドア枠のドア戸当面に対して対接して気密性を確保してなることを特徴とする改装ドアとしたものである。
【０００９】
請求項２に記載の発明は，上記に加えて，気密材が既設ドア枠に接触して新設ドアの開閉障害を招いたりすることなく，新設ドアに対して気密材を納まりよく設置し得るものとするように，これを，上記新設ドアの気密材受溝を，見込面の室外側と室内側とで室内側を低位とするように段差を付して配置し，該段差を介して上記気密材の戸当面対接部位を既設ドア枠のドア戸当面に対接してなることを特徴とする請求項１に記載の改装ドアとしたものである。
【００１０】
請求項３に記載の発明は，同じく上記に加えて，新設ドア枠の見込面に対する気密材受溝の設置を可及的簡易且つ確実になし得るとともに既設ドア枠のドア戸当面に可及的に近接したものとするように，これを，上記新設ドアの気密材受溝を，見込面の室内側端部に，その見付面の外周を囲繞するように見込面切欠き状の段部を配置し，該段部の室内側端部を溝形成部材又は室内側ドア表面板によって該見込面より低位の段差を付して区画し，該段差を介して上記気密材の戸当面対接部位を既設ドア枠のドア戸当面に対接してなることを特徴とする請求項１に記載の改装ドアとしたものである。
【００１１】
請求項４に記載の発明は，上記改装ドアに用いる気密材を提供するように，これを，既設ドアを撤去して残存した既設ドア枠に対して新設ドアを設置し該新設ドアの見込面にその溝開口を既設ドア枠の室外側見込面に向けて囲繞状に形成した気密材受溝に装着し，既設ドア枠における室内側見込面と室外側見込面の間のドア戸当面に対接することによって気密性を確保するように用いる気密材であって，上記溝開口に嵌合して既設ドア枠の室外側見込面に向けて新設ドアの気密材受溝に装着して新設ドア見込面囲繞状に配置する嵌合脚部と，該嵌合脚部から既設ドア枠の室外側見込面に向けて突出し且つその室内側端部を既設ドア枠のドア戸当面に対接する戸当面対接部位とした突出気密部とを備えてなることを特徴とする改装ドアの気密材としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，新設ドアの見込面に気密材受溝を設置するとともに該気密材受溝に，既設ドア枠の室外側見込面に向けて，これと対面するように気密材を設置して，その室内側端部の戸当面対接部位を既設ドア枠のドア戸当面に対接することによって気密性を確保するとともに該気密材が室内側に露出するのを可及的に防止して，可及的高度な防火性を確保した既設ドア枠を利用した改装ドアを提供することができる。
【００１４】
請求項２に記載の発明は，上記に加えて，気密材が既設ドア枠に接触して新設ドアの開閉障害を招いたりすることなく，新設ドアに対して気密材を納まりよく設置し得るものとすることができる。
【００１５】
請求項３に記載の発明は，同じく上記に加えて，新設ドア枠の見込面に対する気密材受溝の設置を可及的簡易且つ確実になし得るとともに既設ドア枠のドア戸当面に可及的に近接したものとすることができる。
【００１６】
請求項４に記載の発明は，上記改装ドアに好適に使用し得る改装ドアの気密材を提供することができる。
【発明を実施するための最良の形態】
【００１７】
以下図面の例に従って本発明を更に具体的に説明すれば，Ａは改装ドアであり，該改装ドアＡは，既設ドアを撤去して残存した既設ドア枠１に対して新設ドア２を設置し該新設ドア２に形成した気密材受溝２５に気密材４を装着し該気密材４を既設ドア枠１における室内側見込面１１と室外側見込面１３の間のドア戸当面１２に対接することによって気密性を確保したもの，即ちドア交換の改装ドアとしてある。
【００１８】
改装ドアＡは，例えば昭和３０年代から５０年代頃に建築され，一般にＫＪドアと称せられるプレスドアの如き既設ドアとその吊支持用の既設ヒンジを既設ドア枠１から撤去し，該既設ドア枠１に新設ドア２用の新設ヒンジを設置して残存した既設ドア枠１を可及的にそのまま利用して，防音断熱性能を確保した鋼製の両面フラッシュドアの如き高機能の新設ドア２を交換的に設置したものとしてあり，これによって短時間に騒音や塵埃を発生することなく，居住者の居住状態でドアの改装作業を完了し得るようにしてある。
【００１９】
該改装ドアＡにおける上記新設ドア２の気密材受溝２５は，これを，新設ドア２の見込面にその溝開口を既設ドア枠１の室外側見込面１３に向けて囲繞状に形成するとともに上記気密材４を，嵌合脚部４１と該嵌合脚部４１から既設ドア枠１の室外側見込面１３に向けて突出し且つその室内側端部を戸当面対接部４３とした突出気密部４２とを備えて形成し，該気密材４の嵌合脚部４１を溝開口に嵌合して該気密材４を既設ドア枠１の室外側見込面１３に対面するように新設ドア２の気密材受溝２５に装着することによって新設ドア２の見込面囲繞状に配置し，その室内側の上記戸当面対接部４３を既設ドア枠１のドア戸当面１２に対して対接して気密性を確保したものとしてあり，このとき新設ドア２の気密材受溝２５は，これを，見込面の室内側端部に，その見付面の外周を囲繞するように見込面切欠き状の段部２４を配置し，該段部２４の室内側端部を溝形成部材３又は室内側ドア表面板２２，本例にあっては溝形成部材３によって該見込面より低位の段差３３を付して区画し，該段差３３を介して上記気密材４の戸当面対接部４３を既設ドア枠１のドア戸当面１２に対接したものとしてある。
【００２０】
本例にあって上記鋼製の両面フラッシュドアとした新設ドア２は，中骨２１と，該中骨２１に張設した室内側及び室外側のドア表面板２２，２３と，中骨２１の空間に充填した防音断熱材とを備えて形成してあり，中骨２１は，外形を新設ドア２の外形に合せた矩形とし且つ内側を図示省略の格子状とするように，断面コ字状等適宜の断面形状とした枠材を長手方向端部を留め接合するとともに内側に格子材を配置したフレームとして形成してあり，このとき本例にあって上記矩形の外枠部分をなす上下左右の枠材２１ａの室内側端部に，上記見込面切欠き状の段部に応じた折曲段部を形成し，該折曲段部に沿って上記室内側のドア表面板２２を被覆して，上記新設ドア２の見込面切欠き状の段部２４を配置したものとしてある。
【００２１】
本例における中骨２は，例えば１．６ｍｍ厚の鋼板に折曲加工を施して形成してあり，その上記上下左右の枠材２１ａは，例えば見込幅を４ｃｍ程度としてあり，該枠材２１ａに形成した上記折曲段部は，例えば見込面及び室内側の見付面から１乃至２ｃｍ程度，本例にあってはそれぞれ１．２ｃｍ，１．４ｃｍ程度の奥行幅を有するように端部凹陥の断面Ｌ字状をなすものとしてある。
【００２２】
一方中骨２１を被覆する室内側のドア表面板２２は，室内側の見付面と，その外周端部に折曲形成した，上記中骨における上下左右の枠材に形成した断面Ｌ字状の折曲段部に合せた断面Ｌ字状の段部と，該段部の先端を室外側に向けて形成した見付面とを有する断面Ｔ字状としたボックス状のものとする一方，室外側のドア表面板２３は，室外側の見付面と，その外周を室内側に折曲した見込面とを有する断面コ字状としたボックス状のものとしてあり，本例にあって，例えば肉厚を０．６又は０．８ｍｍ，本例にあっては０．８ｍｍ，室内側のドア表面板２２において断面Ｌ字状の段部を含めた合計の見込幅を３ｃｍ程度，室外側のドア表面板２３において見込幅を１ｃｍ強としてある。従って上記４ｃｍ程度の中骨２１を被覆して，室内側及び室外側のドア表面板２２，２３を張設することによって形成した本例の新設ドア２は，そのドア厚さを，旧甲種防火戸として一般の４ｃｍ程度，例えば４．０ｃｍとしてあり，このとき上記中骨２１の折曲段部を被覆した見込面切欠き状の段部２４は，該中骨２１の該段部にドア表面板２２の肉厚を加えた寸法，即ち見付幅を１．３ｃｍ，見込幅を１．５ｃｍ程度としたＬ字状のものとしてある。
【００２３】
本例にあって新設ドア２における気密材４を装着する気密材受溝２５は，新設ドア２の見込面切欠き状の段部２４に上記溝形成部材３を配置してこれを区画形成してあり，本例の溝形成部材３は，例えば段部固定片３１と，該段部固定片３１の一端又は両端から既設ドア枠１側に向けて起立した単一又は一対の起立片３２を備えた断面Ｌ字状乃至断面コ字状，本例にあっては一対の起立片３２を備えた断面コ字状のバー材を用いたものとしてあり，該溝形成部材３による上記気密材受溝２５の区画形成は，その上記段部固定片３１を見付面切欠状の段部２４の見込面に対接し，例えばネジ，接着等の固定手段，本例にあってはネジ３４を中骨２１の上記上下左右の枠材２１ａに螺入して固定し，該気密材受溝２５の溝開口を既設ドア枠１の室外側見込面１３に向けるように，これを行ってある。
【００２４】
このとき本例の上記断面コ字状とした溝形成部材３は，その一対の起立片３２を，例えば室内側及び室外側において見込面より低い起立高さとして，見込面切欠き状の段部２４に気密材受溝２５を形成したとき，その室内側に上記見込面より底位の段差３３を形成したものとしてある。本例にあって該段差３３は，これを数ｍｍ程度以下，例えば５ｍｍ程度としてあり，また本例にあって該溝形成部材３は，その一対の起立片３２の外法寸法を，上記１．５ｃｍ程度とした見込面切欠き状の段部２４の見込幅より僅かに，例えば１〜３ｍｍ小さくするとともにその室内側の起立片３２を見込面切欠き状の段部２４の見付面に対接配置してその固定を行うことによって，気密材受溝２５の区画形成状態で該溝形成部材３における室内側の起立片３２が，新設ドア２の見付面との間に僅少段差をなすようにやや室外側に変位して位置するようにし，これによって新設ドア２の吊元側の回転を許容するとともに閉鎖時に溝形成部材３が既設ドア枠１のドア戸当面１２に接触して騒音を発生するのを防止してある。
【００２５】
気密材４は，硬質樹脂の上記嵌合脚部４１に，該嵌合脚部４１と断面Ｔ字状乃至断面Ｌ字状をなして既設ドア枠１側に向けて突出するように一体成形した軟質樹脂にして中空又は忠実の突出気密部４２を備えて形成してあり，本例にあって該突出気密部４２は，これを上記溝形成部材３に配置した上記低位の段差３３の寸法に合せた突出高さを有するとともに嵌合脚部４１から室内側を幾分幅広とするように室内外に突出した中空の断面矩形とし，その室内側の側面を戸当面対接部４３としたものとしてあり，該戸当面対接部４３は上記断面矩形の室内側側面を長手方向に平坦面として既設ドア枠１のドア戸当面１２に対接自在としてある。このとき本例の気密材４は，その嵌合脚部４１からの突出気密部４２の突出高さを段差３３の寸法に合せることにより，気密材４，特にその突出気密部４２が見込面切欠き状の段部２４を埋めて，新設ドア２の見付面を平坦化するとともに新設ドア２の見付面から既設ドア枠１側に突出することなく，従って既設ドア枠１に新設ドア２を，常法に従って数ｍｍ程度，本例にあっては下枠側にあって６ｍｍ，その余にあって３〜４ｍｍの囲繞空隙を置いて配置したとき，該気密材４が既設ドア枠１に接触して，新設ドア２の開閉不良を招来するといったトラブルの可能性を解消したものとしてある。
【００２６】
このように形成した新設ドア２は，更に図示省略のドアスコープ，レバーハンドル乃至ドアノブ等その余の部品設置を含めて全てを工場生産して完成品出荷することによって改装現場に搬入し，改装現場の既設ドア枠１に，その既設ドアに交換的に代替してドア改装を行うものとしてある。
【００２７】
即ちドア改装は，例えば，既設ドア枠１から既設ドアと，該既設ドアを吊支持している既設ヒンジを取り外して既設ドアを撤去した後，該既設ドア枠１に，必要に応じて塗装を施す等のドア枠補修を行うも，該既設ドア枠１を可及的にそのまま用いて，該既設ドア枠１に新設ヒンジを取り付けて，該新設ヒンジによって新設ドア２を吊支持し，その見込面囲繞状の気密材４の上記戸当面対接部４３を，新設ドア２の閉鎖時に既設ドア枠１のドア戸当面１２に対接するようにして，改装ドアＡとしての気密性を確保して，その交換的な新設ドア２の設置を行うものとしてある。
【００２８】
このとき上記凹凸嵌合自在の関係にある既設ドア枠１と新設ドア２は，本例にあって部分的な嵌合関係を維持した状態で既設ドア枠１に吊支持したものとしてあり，本例にあって該部分的な嵌合は，例えば新設ドア２の室外側見付面を，既設ドア枠１の室外側見付面より数ｍｍ程度，例えば２〜３ｍｍ室内側とし且つ上記囲繞空隙を配置して新設ドア２を，既設ドア枠１に外観よく納めるように吊支持したとき，該新設ドア２の室内側見付面が，既設ドア枠１の室内側開口において，僅かに，例えば１ｍｍ程度室内側に入り込んだ状態となるようにしてある。即ち既設ドア枠１の上記ＫＪドアにおける室外側見込面１３の見込幅は４１ｍｍとされるところ，本例にあって４０ｍｍとした新設ドア２の吊支持に，上記見付面を２〜３ｍｍ程度確保したことから，新設ドア２の室内側見付面の位置は，既設ドア枠１の室外側見付面から４２〜４３ｍｍとなるため，上記見込幅４１ｍｍとの寸法差を，既設ドア枠１における室内側見込面１１において吸収するようにし，これによって，旧甲種防火戸として充分な耐火性を確保するようにドア厚さを設定した新設ドア２を，納まりを良好として既設ドアに交換的に既設ドア枠１に吊支持したものとしてある。
【００２９】
本例の改装ドアＡは，既設ドア枠１を建物躯体から斫り工事によって取外すことがなく，従ってドア改装に際して工事期間を必要とせず，塵埃，騒音等の発生もないし，また該既設ドア枠１を残すも，カバー工法によって新設ドア枠によって該既設ドア枠１を被覆することもないから，既設ドア枠１の開口をそのまま使用し，従ってドア改装に際して新設ドア枠設置による開口の狭まりもなく，簡易且つ確実にして居住者の居住状態での短時間の工事でそのドア改装を完了することができ，防音断熱性の付与，耐震機能の付与等，ドアの高機能化を図ることができる。
【００３０】
更に溝形成部材３における室外側の起立片３２は，新設ドア２の見込面切欠き状の段部２４に，新設ドア２の室内側見付面と段差をなすようにやや室外側に変位して位置して気密材受溝２５に嵌合した嵌合脚部４１を室外側で被覆する一方，気密材４の突出気密部４２は，該起立片３２の見付方向外側の段差３３位置にあって，その戸当面対接部４３が既設ドア枠１のドア戸当面１２に対接する結果，該気密材４は，室内側から見て，既設ドア枠１におけるドア戸当面１２の，起立片３２と既設ドア枠１のドア戸当面１２間の細溝によって遮られたドア戸当面の見付方向外側奥に位置して，その室内側への露出を防止するとともに室内側から実質的に遮断して，該気密材４に火炎が直接に及ぶ可能性を可及的に防止するようにしてあり，これによって改装ドアＡとしてその可及的高度な気密性と防火性の双方を並立的に確保することができる。また受溝形成部材３の起立片３２は，新設ドア２の室内側見付面の外周に，既設ドア枠１における室内側の開口端，即ちドア戸当面１２と新設ドア２の見付面の外周端部との間の狭小の空隙を介して室外側に露出することになるが，該狭小空隙は数ｍｍ程度と細幅であることによって，該溝形成部材３を，例えば無塗装の鋼製のものとしても，室内側にこれが大きく露出する如くに外観を損なうこともない。
【００３１】
図示した例は以上のとおりとしたが，新設ドアの気密材受溝を，上記断面Ｌ字状のバー材による溝形成部材を見込面切欠き状の段部に固定することによって，上記例と同様に区画するようにし，このとき該溝形成部材の起立片の高さを新設ドアの見付面より低位として同様に気密材の突出気密部を通過させて既設ドア枠のドア戸当面にその戸当面対接部を対接するように配置すること，同じく気密材受溝を，見込面切欠き状の段部の室内側端部を室内側のドア表面板によって区画すること，この場合，例えば該室内側ドア表面板の外周端部に，上記溝形成部材の起立片に相当する如くに見込面切欠き状の段部の室内側端部に起立する折返し重合片を形成した断面コ字状の気密材受溝を備えて見込面に至る外周端部の構造を有するものとすること，気密材受溝を，新設ドアの見込方向中間位置，即ち，例えば中骨の上下左右の枠材における見込方向中間位置に凹陥した凹陥溝に合せて室内側又はこれと室外側のドア表面材を被覆することによって配置するようにすること，これらの場合を含めて，該気密材受溝を，見込面の室外側と室内側とで室内側を低位とするように段差を付して配置し，該段差を介して上記気密材の戸当面対接部位を既設ドア枠のドア戸当面に対接するようにすること，上記溝形成部材を用いるとき，ドア表面板と同色として，その露出による目立ちの可能性を解消したものとすること，気密材を，嵌合脚部と，この嵌合脚部から既設ドア枠のドア戸当面に向けた突出気密部を備えた断面Ｌ字状とし，突出気密部の先端を平坦な又は舌片状の戸当面対接部とすること等を含めて，本発明の実施に当って，新設ドア，気密材受溝，気密材，その嵌合脚部，突出気密部，その戸当面対接部位，必要に応じて用いる気密材受溝の室内側端部を区画する溝形成部材又は室内側ドア表面板等の各具体的材質，形状，構造，これらの関係，これらに対する付加等は上記発明の要旨に反しない限り様々な形態のものとすることができる。
【図面の簡単な説明】
【００３２】
【図１】改装ドアの縦断面図である。
【図２】改装ドアの横断面図である。
【図３】気密材部分の拡大縦断面図である。
【図４】溝形成部材と気密材の関係を示す部分分解断面図である。
【符号の説明】
【００３３】
Ａ  改装ドア
１  既設ドア枠
１１  室内側見込面
１２  ドア戸当面
１３  室外側見込面
２  新設ドア
２１  中骨
２１ａ  枠材
２２  室内側のドア表面板
２３  室外側のドア表面板
２４  見込面切欠き状の段部
２５  気密材受溝
３  溝形成部材
３１  段部固定片
３２  起立片
３３  段差
３４  ネジ
４  気密材
４１  嵌合脚部
４２  突出気密部
４３  戸当面対接部
【図１】
2009221757.tif 000003
【図２】
2009221757.tif 000004
【図３】
2009221757.tif 000005
【図４】
2009221757.tif 000006